(57)【要約】【課題】  複数の表示色にて複数の情報を表示する表示装置において、利用者が複数の情報を良好に判別することを可能とする。【解決手段】  表示装置１は、ケース体（リアケース）３内に配設され異なる発光色にて発光する複数の光源（第一，第二のＬＥＤ）５，６と、光源５，６の前方に配設され各光源５，６と対向する複数の突出部（第一，第二の突出部）４ａ，４ｂを有するレンズ部材と４、を備えてなる。レンズ部材４は、各突出部４ａ，４ｂに各光源５，６からの光を透過する透過部と、各光源５，６からの光を拡散させる拡散部と、を備えてなる。【選択図】  図３
2005338025.tif 000002
【特許請求の範囲】
【請求項１】
ケース体内に配設され異なる発光色にて発光する複数の光源と、前記光源の前方に配設され前記各光源と対向する複数の突出部と前記突出部と対向する平面部を有するレンズ部材と、を備え、
前記レンズ部材は、前記各光源からの光を対向する各突出部から入射して前記平面部から利用者の視線に向けて出射し、また、前記各光源と対向しない各突出部に前記光を入射すると前記平面部から前記利用者の視線から外れた方向に出射してなることを特徴とする表示装置。
【請求項２】
ケース体内に配設される複数の光源と、前記光源の前方に配設され前記各光源と対向する複数の突出部と前記突出部と対向する平面部を有するレンズ部材と、前記光源の前方に配設され前記各光源と対向する色の異なる複数のカラーフィルターと、を備え、
前記レンズ部材は、前記各光源からの光を対向する各突出部から入射して前記平面部から利用者の視線に向けて出射し、また、前記各光源と対向しない各突出部に前記光を入射すると前記平面部から前記利用者の視線から外れた方向に出射してなることを特徴とする表示装置。
【請求項３】
前記レンズ部材の周辺に配設され、前記利用者の視線から外れた方向に出射される前記光を遮蔽する遮光部材を備えてなることを特徴とする請求項１または請求項２に記載の表示装置。
【請求項４】
前記レンズ部材は、前記各突出部に前記各光源からの光を透過する透過部と、前記各光源からの光を拡散させる拡散部と、を備えてなることを特徴とする請求項１または請求項２に記載の表示装置。
【請求項５】
前記透過部は前記各突出部の略中央に形成され、前記拡散部は前記各突出部の前記透過部の周辺に形成されてなることを特徴とする請求項４に記載の表示装置。
【請求項６】
前記拡散部は、前記レンズ部材の表面がシボ加工されてなることを特徴とする請求項４または請求項５に記載の表示装置。
【請求項７】
前記レンズ部材と前記各光源との間に配設され、前記レンズ部材の前記各突出部の略中央と対向する開口部を有する拡散板を備えてなることを特徴とする請求項１または請求項２に記載の表示装置。
【請求項８】
前記ケース体に装着され、少なくとも１つ以上の第一の溝部が形成される平板部を有する取付部材を備え、前記取付部材は、前記平板部の一部を前記第一の溝部に沿って切り離し可能に設けられてなることを特徴とする請求項１または請求項２に記載の表示装置。
【請求項９】
前記平板部は、略同心円上に複数の第二の溝部が形成されてなることを特徴とする請求項８に記載の表示装置。
【発明の詳細な説明】
【技術分野】
【０００１】
本発明は、ケース体内に配設される光源を備え、光源の発光により所定の情報を報知する表示装置に関するものである。
【背景技術】
【０００２】
従来、発光表示によって所定の情報を報知する表示装置としては、例えば図８に示すような表示装置１００がある。表示装置は、ケース体である後ケース１０１と、この後ケース１０１内に収納される光源としての白色発光を示すＬＥＤ（発光ダイオード）１０２とを有している。また、１０３は円筒状の前ケースであり、前方開口端（図８中、左側）には内側に突き出した突出部１０４が設けてある。一方、後方開口側（図８中、右側）には雌ねじ１０５が形成してある。また、後ケース１０１は、底部１０６を有する略円筒状となっており、後ケース１０１の開口側（前ケース１０３側）には前ケース１０３の雌ねじ１０５に螺合する雄ねじ１０７が形成してある。この雄ねじ１０７が形成された箇所以外の周壁１０８の外径は前ケース１０３の外径とほぼ一致している。
【０００３】
１０９は合成樹脂製の赤色の半透明材からなる表示部材である。この表示部材１０９は前ケース１０３の雌ねじ１０５と後ケース１０１の雄ねじ１０７を螺合した際、突出部１０４と後ケース１０１の前端部１１０とで挟み込まれた状態となっている。また、ＬＥＤ１０２はリード１１１が硬質の回路基板１１２に半田付されている。そして、この回路基板１１２は後ケース１０１の底部１０６に設けられた取付部１１３にビス１１４によってねじ止めされている。また、底部１０６には底穴１１５が設けてあり、ＬＥＤ１０２のリード１１１と接続された接続コード１１６が底穴１１５から引き出されている。
【０００４】
また、後ケース１０１には金属製の取付部材１１７が取り付けられている。本例の場合の取り付けは、後ケース１０１の周壁１０８に取付部材１１７の第一の装着部１１８をビス１１９によってねじ止めすることにより行われる。また、平板部である第二の装着部１２０が例えば車両のダッシュボード上に取り付けられるものである。なお、取付部材１１７の後ケース１０１への取り付けは、ビス１１９を用いず周壁１０８に第一の装着部１１８箇所を溶接（後ケース１０１が金属製の場合）する等の他の手段で取り付けるようにしても良い。
【０００５】
かかる表示装置１００は、例えば本願出願人が引用文献１にて提案している計器の駆動装置に用いることができる。かかる計器の駆動装置は、車両のエンジン回転数や過給圧（吸気圧），排気温度等の複数の車両状態の何れかが警告すべき状態である場合に、報知手段を動作させるマルチワーニング機能を有するものである。上述の表示装置１００を前記報知手段として用いることによって、ＬＥＤ１０２が点灯または点滅し、ＬＥＤ１０２からの光が表示部材１０９を透過して赤色の表示光を示すことによって、複数の計器が車両室内に配設され、利用者から離れた位置に前記計器が配設される場合であっても、前記各車両状態の何れかが警告すべき状態であることを利用者に報知（警告）することが可能となっている。
【特許文献１】特開２００３−９７９７６号公報
【発明の開示】
【発明が解決しようとする課題】
【０００６】
しかしながら、かかる表示装置１００においては、表示が常に同一であることから、複数の情報を判別することができないという点で改良の余地があった。例えば、前述のマルチワーニング機能において、表示装置１００の表示によって車両のエンジン回転数が所定の設定値以上の値もしくは前記設定値より大きい値となったタイミングを判断し、それに合わせて車両のシフトアップを行う用途で表示装置１００を用いている場合、他の車両状態が警告すべき状態となることによって表示装置１００が表示されると利用者が求める情報である車両のシフトアップタイミングを正確に判断することができなくなるという問題点があった。
【０００７】
前述の点を改良する方法としては、ケース体内に互いに異なる発光色にて発光する光源を複数設け、前記各光源を切り換えて発光させるもの、あるいは複数の光源の表示面側に異なる色の複数のカラーフィルターを設けるものが考えられる。しかしながら、隣り合って発光色の異なる前記各光源を配設させる場合、複数の前記光源を共に発光させると、前記各光源の光が部分的に重なって利用者に認識されることによって前記各光源の発光色が混ざり合った混色にて表示する個所が生じ、それぞれの前記光源による表示色を利用者が認識しづらくなるという問題点があった。また、隣り合って色の異なる複数のカラーフィルターを設ける場合、１つの前記光源を発光させると光が隣り合う複数の前記カラーフィルターを透過することによって表示すべきでない色が部分的に表示され、それぞれの表示色を利用者が認識しづらくなるという問題点があった。
【０００８】
本発明は、前述の問題点に鑑みなされたもので、複数の表示色にて複数の情報を表示する表示装置において、利用者が複数の情報を良好に判別することが可能な表示装置を提供することを目的とする。
【課題を解決するための手段】
【０００９】
本発明の表示装置は、前記課題を解決するため、ケース体内に配設され異なる発光色にて発光する複数の光源と、前記光源の前方に配設され前記各光源と対向する複数の突出部と前記突出部と対向する平面部を有するレンズ部材と、を備え、前記レンズ部材は、前記各光源からの光を対向する各突出部から入射して前記平面部から利用者の視線に向けて出射し、また、前記各光源と対向しない各突出部に前記光を入射すると前記平面部から前記利用者の視線から外れた方向に出射してなることを特徴とする。
【００１０】
また、本発明の表示装置は、ケース体内に配設される複数の光源と、前記光源の前方に配設され前記各光源と対向する複数の突出部と前記突出部と対向する平面部を有するレンズ部材と、前記光源の前方に配設され前記各光源と対向する色の異なる複数のカラーフィルターと、を備え、前記レンズ部材は、前記各光源からの光を対向する各突出部から入射して前記平面部から利用者の視線に向けて出射し、また、前記各光源と対向しない各突出部に前記光を入射すると前記平面部から前記利用者の視線から外れた方向に出射してなることを特徴とする。
【００１１】
また、前記レンズ部材の周辺に配設され、前記利用者の視線から外れた方向に出射される前記光を遮蔽する遮光部材を備えてなることを特徴とする。
【００１２】
また、前記レンズ部材は、前記各突出部に前記各光源からの光を透過する透過部と、前記各光源からの光を拡散させる拡散部と、を備えてなることを特徴とする。
【００１３】
また、前記透過部は前記各突出部の略中央に形成され、前記拡散部は前記各突出部の前記透過部の周辺に形成されてなることを特徴とする。
【００１４】
また、前記拡散部は、前記レンズ部材の表面がシボ加工されてなることを特徴とする。
【００１５】
また、前記レンズ部材と前記各光源との間に配設され、前記レンズ部材の前記各突出部の略中央と対向する開口部を有する拡散板を備えてなることを特徴とする。
【００１６】
また、前記ケース体に装着され、少なくとも１つ以上の第一の溝部が形成される平板部を有する取付部材を備え、前記取付部材は、前記平板部の一部を前記第一の溝部に沿って切り離し可能に設けられてなることを特徴とする。
【００１７】
また、前記平板部は、略同心円上に複数の第二の溝部が形成されてなることを特徴とする。
【発明の効果】
【００１８】
本発明は、ケース体内に配設される光源を備え、光源の発光により所定の情報を報知する表示装置に関するものであり、複数の表示色にて複数の情報を表示する表示装置において、利用者が複数の情報を良好に判別することが可能となるものである。
【発明を実施するための最良の形態】
【００１９】
以下、本発明の第一の実施形態を、所定の情報として、車両のエンジン回転数や過給圧（吸気圧），排気温度等の複数の車両状態の何れかが警告すべき状態であることを報知する表示装置に本発明を適用したものを例に上げて説明する。図１は表示装置の正面を示し、図２は図１におけるＡ−Ａ断面である。また、図３は図１におけるＢ−Ｂ断面である。
【００２０】
表示装置１は、円筒状のフロントケース（遮光部材）２と、フロントケース２の後方開口側（図２中、右側）に配置されフロントケース２に装着されるリアケース（ケース体）３と、このフロントケース２の後方開口側にリアケース３の前方（図２中、左側）に位置するように配置されるレンズ部材４と、リアケース３内に収納される光源としての第一，第二のＬＥＤ５，６と、リアケース３と接続され、表示装置１を車両のダッシュボード上に取り付けるための取付部材７と、から主に構成されている。なお、第一，第二のＬＥＤはそれぞれ異なる色にて発光するものであり、本第一の実施形態においては、第一のＬＥＤ５は赤色発光するものとし、第二のＬＥＤ６は緑色発光するものとする。
【００２１】
フロントケース２は例えばアルミニウム等の金属材料からなり、後方開口側の内側周囲には突出部２ａが形成され、また、後方開口側の内側周囲の突出部２ａよりも後方には雌ねじ部２ｂが形成されている。
【００２２】
リアケース３は、例えばアルミニウム等の金属材料からなり、底部３ａを有する円筒状となっており、開口側（フロントケース２側）の外側周囲にはフロントケース２の雌ねじ部２ｂに螺合する雄ねじ部３ｂが形成されている。また、雄ねじ部３ｂをフロントケース２の雌ねじ部２ｂと一致させるために、リアケース３には段差部３ｃが形成されており、リアケース３は、雄ねじ部３ｂの形成個所が他の個所よりも肉薄となるように形成されている。また、リアケース３は、取付部材７と例えばねじ止め等の方法によって接続固定されている。また、リアケース３の底部３ａには後述する回路基板８を配設するための配設部３ｄが形成されている。
【００２３】
レンズ部材４は例えば合成樹脂等の透過性材料からなり、第一，第二のＬＥＤ５，６との対向面側にそれぞれ第一，第二のＬＥＤ５，６と対向するように形成される第一，第二の突出部（突出部）４ａ，４ｂと、表示面側に形成される平面部４ｃと、を備えてなるものであり、２つの平凸レンズを曲面が一部重なるように連結させた形状となっている。かかるレンズ形状により、図３に示すように、第一の突出部４ａと対向する点光源である第一のＬＥＤ５から発せられる光は、第一の突出部４ａから入射して平面部４ｃから利用者の視線に向けた角度で出射する。また、第二の突出部４ａと対向する点光源である第二のＬＥＤ６から発せられる光は、第二の突出部４ｂから入射して平面部４ｃから利用者の視線に向けた角度で出射する。また、第一のＬＥＤ５から発せられる光は、第一のＬＥＤ５と対向関係にない第二の突出部４ｂから入射すると、平面部４ｃから利用者の視線から外れた方向に出射する。また、第二のＬＥＤ６から発せられる光は、第二のＬＥＤ６と対向関係にない第一の突出部４ａから入射されると、平面部４ｃから利用者の視線から外れた方向に出射する。なお、「利用者の視線から外れた方向」としては、例えば光がレンズ部材４の周辺に配設されるフロントケース２の側壁に向けて出射され、フロントケース２によって遮光されて外部に光が照射されることを抑制している。そのため、表示装置１は、第一，第二のＬＥＤ５，６を両方点灯あるいは点滅させる場合であっても、第一，第二のＬＥＤ５，６から発せられる赤色光と緑色光とが重なって利用者に視線に入ることがなく、混色を生じさせることなく良好に赤色表示と緑色表示とを示すことができる。
【００２４】
また、第一，第二の突出部４ａ，４ｂは、図４に示すように、略中央が滑らかな表面の透明な第一，第二の透過部（透過部）４ａ１，４ｂ１からなり、また、第一，第二の透過部４ａ１，４ｂ１の周辺がシボ加工によって表面が荒らされ、微細な凹凸（シボ）が形成される第一，第二の拡散部（拡散部）４ａ２，４ｂ２からなるものである。そのため、第一，第二の透過部４ａ１，４ｂ１から入射した光は１方向（利用者の視線方向）に向かって平面部４ｃから出射し、第一，第二の拡散部４ａ２，４ｂ２から入射した光は多方向に拡散されて平面部４ｃから出射する。したがって、レンズ部材４は、平面部４ｃの第一，第二の透過部４ａ１，４ｂ１に対応する個所においては光を１方向に出射させることで、表示光を利用者に明るく感じさせることができ、視認性を向上させることが可能となる。また、レンズ部材４は、平面部４ｃの第一，第二の拡散部４ａ２，４ｂ２に対応する個所においては拡散した光を出射させることで、表示の視野角を広げることができ、視認性を向上させることが可能となる。また、レンズ部材４は、第一，第二の突出部４ａ，４ｂの周囲に一体的に形成される周壁部４ｃを有している。レンズ部材４は、周壁部４ｃがリアケース３の開口側端部と係合され、リアケース３の前記開口側端部とフロントケース２の突出部２ａとで挟持されることによって配設位置が固定される。
【００２５】
第一，第二のＬＥＤ５，６は、それぞれ異なる発光色にて発光するものであり、各リード５ａ，６ａがそれぞれ硬質の回路基板８に半田付されてリアケース３内に配設されている。回路基板８にはＬＥＤ５の他に逆電流防止用のダイオード（図示しない）や受電用のコネクタ９などが実装されている。この回路基板８はリアケース３内の底部３ａ側に収納され、底部３ａに形成された取付部３ｄにねじ止めによって固定されている。なお、ＬＥＤ５を回路基板８に半田付したが、回路基板８を用いることなく、ＬＥＤ５をリアケース３内に収納するような構造としても良い。また、光源は第一，第二のＬＥＤ５，６に限定されるものではなく、バルブ等を用いても良い。
【００２６】
取付部材７は例えば金属材料からなり、リアケース３に取り付けられる第一の取付部７ａと、例えば粘着テープを介して前記ダッシュボード上等に取り付けられる平板状の第二の取付部７ｂとを有するものである。第一の取付部７ａは、リアケース３の側面に応じた形状に形成される天板部７ａ１と、天板部７ａ１の両端から延設される２つの側板部７ａ２，７ａ３と、側板部７ａ２，７ａ３の間に位置するように配設される円筒部７ａ４とからなり、側壁部７ａ２，７ａ３は雄ねじ９，１０が挿通される孔部をそれぞれ備え、円筒部７ａ４は雄ねじ９，１０を螺合させるための雌ねじ部を両端に備えている。また、第二の取付部７ｂは、第一の取付部７ａとの対向面から垂直に立設された２つの支持部７ｂ１，７ｂ２を有しており、支持部７ｂ１，７ｂ２は雄ねじ９，１０が挿通される孔部をそれぞれ備えている。したがって、側壁部７ａ２，７ａ３、支持部７ｂ１，７ｂ２の前記各孔部に雄ねじ９，１０が挿通され、円筒部４ａの前記各雌ねじ部に雄ねじ９，１０が螺合されることで、第一，第二の取付部７ａ，７ｂは雄ねじ９，１０を中心として回動可能な状態で連結されている。なお、雄ねじ９，１０を硬く締め付けることにより、所望の角度で固定することもできる。
【００２７】
また、第二の取付部７ｂは、図５（ａ）に示すように、第二の取付部７ｂの長手方向と略垂直であり、略同一線上に位置する複数の第一のスリット部（第一の溝部）７ｂ３が形成されている。したがって、第二の取付部７ｂは、図５（ｂ）に示すように、その一部を第一のスリット７ｂ３に沿って工具を用いることなく利用者が手で切り離し可能に設けられており、取付位置の形状や面積に応じて第二の取付部７ｂの面積を容易に変更することが可能となっている。なお、第二の取付部７ｂには、第二の取付部７ｂの面積が小さくなった場合にねじ止めによって第二の取付部７ｂを配設固定するための孔部７ｂ４が形成されている。また、第二の取付部７ｂは、略同心円上に位置するように複数の第二のスリット部（第二の溝部）７ｂ５が形成されている。したがって、第二の取付部７ｂは、第二のスリット部７ｂ５隣り合う個所を工具を用いることなく利用者が手で折り曲げ可能に設けられており、取付位置の表面形状に応じて容易に曲面形状に変形させることが可能となっている。
【００２８】
以上の構成からなる表示装置１は、例えば特許文献１に開示されるマルチワーニング機能を有する計器の駆動装置と接続し、例えば予め車両のエンジン回転数が所定の設定値以上の値もしくは前記設定値より大きい値となった場合に第二のＬＥＤ６を緑色発光させ、他の車両状態が警告すべき状態となった場合に第一のＬＥＤ５を赤色発光させるように設定することによって、利用者が求める複数の情報である車両のシフトアップタイミングと、他の車両状態が警告すべき状態となったこととの２つの情報を利用者に報知することができる。
【００２９】
かかる表示装置１は、リアケース３内に配設され異なる発光色にて発光する第一，第二のＬＥＤ５，６と、第一，第二のＬＥＤ５，６の前方に配設され第一，第二のＬＥＤ５，６と対向する第一，第二の突出部４ａ，４ｂを有するレンズ部材４と、を備えてなるものである。したがって、第一，第二のＬＥＤ５，６を両方点灯あるいは点滅させる場合であっても、第一，第二のＬＥＤから発せられる赤色光と緑色光とが重なって利用者に視線に入ることがなく、混色を生じさせることなく良好に複数色の表示を示すことが可能となる。また、レンズ部材４の周辺に遮光部材としてのフロントケース２を配設することによって、利用者の視線から外れた方向に出射された光が外部に照射されることを抑制することができる。
【００３０】
また、表示装置１は、レンズ部材４が、第一，第二の突出部４ａ，４ｂに第一，第二のＬＥＤ５，６からの光を透過する第一，第二の透過部４ａ１，４ｂ１と、第一，第二のＬＥＤ５，６からの光を拡散させる第一，第二の拡散部４ａ２，４ｂ２と、を備えてなるものである。また、第一，第二の透過部４ａ１，４ｂ１は第一，第二の突出部４ａ，４ｂの略中央に形成され、第一，第二の拡散部４ａ１，４ｂ２は第一，第二の透過部４ａ１，４ｂ１の周辺に形成されてなるものである。また、第一，第二の拡散部４ａ２，４ｂ２は、レンズ部材４の表面がシボ加工されてなるものである。以上の構成により、表示装置１は、レンズ部材４の平面部４ｃの第一，第二の透過部４ａ１，４ｂ１に対応する個所においては光を一方向に出射させることで、表示光を利用者に明るく感じさせることができ、また、平面部４ｃの第一，第二の拡散部４ａ２，４ｂ２に対応する個所においては拡散した光を出射させることで、表示の視野角を広げることができ、視認性を向上させることが可能となる。
【００３１】
また、表示装置１は、リアケース３に装着され、少なくとも１つ以上の第一のスリット部７ｂ３が形成される第二の取付部７ｂを有する取付部材７を備え、取付部材７は、第二の取付部７ｂ一部を第一のスリット部７ｂ３に沿って切り離し可能に設けられてなるものである。したがって、取付位置の形状や面積に応じて第二の取付部７ｂの面積を容易に変更することが可能となり、表示装置としての商品性を向上させることができる。
【００３２】
また、表示装置１は、第二の取付部７ｂに、略同心円上に位置する複数の第二のスリット部７ｂ５が形成されてなるものであり、取付位置の表面形状に応じて容易に曲面形状に変形させることが可能となり、表示装置としての商品性を向上させることができる。
【００３３】
なお、本発明の第一の実施形態においては、光源として第一，第二のＬＥＤ５，６を備えるものであったが、本発明における光源の数は３つ以上であってもよく、レンズ部材に形成される突出部は、前記光源の数と同数が形成される。
【００３４】
次に、図６を用いて本発明の第二の実施形態について説明する。なお、前述の第一の実施形態と同一あるいは相当個所には同一符号を付してその詳細な説明は省略する。
【００３５】
表示装置１１が前述の第一の実施形態である表示装置１と異なる点は、第一，第二のＬＥＤ５，６と、第一，第二のＬＥＤ５，６の前方に配設されるレンズ部材１２との間に、レンズ部材１２に形成される第一，第二の突出部１２ａ，１２ｂの略中央と対向する開口部を有する拡散板１３を設ける点である。
【００３６】
レンズ部材１２は例えば合成樹脂等の透過性材料からなり、第一，第二のＬＥＤ５，６との対向面側にそれぞれ第一，第二のＬＥＤ５，６と対向するように形成される第一，第二の突出部（突出部）１２ａ，１２ｂと、表示面側に形成される平面部１２ｃと、を備えてなるものであり、２つの平凸レンズを曲面が一部重なるように連結させた形状となっている。かかるレンズ形状により、第一の突出部１２ａと対向する点光源である第一のＬＥＤ５から発せられる光は、第一の突出部１２ａから入射して平面部１２ｃから利用者の視線に向けた角度で出射する。また、第二の突出部１２ａと対向する点光源である第二のＬＥＤ６から発せられる光は、第二の突出部１２ｂから入射して平面部１２ｃから利用者の視線に向けた角度で出射する。また、第一のＬＥＤ５から発せられる光は、第一のＬＥＤ５と対向関係にない第二の突出部１２ｂから入射すると、平面部１２ｃから利用者の視線から外れた方向に出射する。また、第二のＬＥＤ６から発せられる光は、第二のＬＥＤ６と対向関係にない第一の突出部１２ａから入射すると、平面部１２ｃから利用者の視線から外れた方向に出射する。なお、「利用者の視線から外れた方向」としては、例えば光がレンズ部材１２の周辺に設けられるフロントケース２の側壁に向けて出射され、フロントケース２によって遮光されて外部に光が照射されることを抑制している。そのため、第一，第二のＬＥＤ５，６を両方点灯あるいは点滅させる場合であっても、第一，第二のＬＥＤ５，６から発せられる赤色光と緑色光とが重なって利用者に視線に入ることがなく、混色を生じさせることなく良好に赤色表示と緑色表示とを示すことができる。
【００３７】
拡散板１３は、例えば乳白色の透過性材料からなり、シボ加工によって表面が荒らされ、微細な凹凸（シボ）が形成されるものである。また、拡散板１３は、レンズ部材１２に形成される第一，第二の突出部１２ａ，１２ｂの略中央と対向する第一，第二の開口部１３ａ，１３ｂを有する。そのため、第一，第二の開口部１３ａ，１３ｂを通過して第一，第二の突出部１２ａ，１２ｂから入射した光は１方向（利用者の視線方向）に向かって平面部１２ｃから出射し、拡散板１３を透過する光は、拡散板１２によって多方向に拡散されて第一，第二の突出部１２ａ，１２ｂに入射し、平面部１２ｃから出射することとなる。
【００３８】
したがって、表示装置１１は、第一，第二のＬＥＤ５，６とレンズ部材１１との間に、第一，第二の開口部１３ａ，１３ｂを有する拡散板１３を設けることによって、平面部１２ｃの第一，第二の開口部１３ａ、１３ｂに対応する個所においては光を１方向に出射させることで、表示光を利用者に明るく感じさせることができ、また、平面部１１ｃの拡散板１３に対応する個所においては拡散した光を出射させることで、表示の視野角を広げることができ、視認性を向上させることが可能となる。
【００３９】
次に、図７を用いて本発明の第三の実施形態について説明する。なお、前述の第一，第二の実施形態と同一あるいは相当個所には同一符号を付してその詳細な説明は省略する。
【００４０】
表示装置２１が前述の第一，第二の実施形態と異なる点は、リアケース３内に光源として配設される白色発光を示す第三，第四のＬＥＤ２２，２３と、第三，第四のＬＥＤ２２，２３の前方に配設され第三，第四のＬＥＤ２２，２３と対向する赤色フィルター（カラーフィルター）２４及び緑色フィルター（カラーフィルター）２５と、を備えてなる点である。
【００４１】
赤色フィルター２４及び緑色フィルター２５は、例えば透過性の樹脂材料に前記各色の色素をそれぞれ溶解または分散させてなるものである。また、赤色フィルター２４及び緑色フィルター２５は、例えば二液硬化型あるいは熱硬化型の樹脂材料等からなる透光性の接着層（図示しない）を介して、レンズ部材４の平面部４ｃ上に配設される。
【００４２】
第一の突出部４ａと対向する点光源である第三のＬＥＤ２２から発せられる光は、第一の突出部４ａから入射して平面部４ｃを介して赤色フィルター２４を透過し、赤色の光として利用者の視線に向けた角度で出射し、また、第二の突出部４ａと対向する点光源である第四のＬＥＤ２３から発せられる光は、第二の突出部４ｂから入射して平面部４ｃを介して緑色フィルター２５を透過し、緑色の光として利用者の視線に向けた角度で出射する。また、第三のＬＥＤ２２から発せられる光は、第三のＬＥＤ２２と対向関係にない第二の突出部４ｂから入射すると、平面部４ｃを介して緑色フィルター２５から利用者の視線から外れた方向に出射する。また、第四のＬＥＤ２５から発せられる光は、第四のＬＥＤ２５と対向関係にない第一の突出部４ａに入射すると、平面部４ｃを介して赤色フィルター２４から利用者の視線から外れた方向に出射する。なお、「利用者の視線から外れた方向」としては、例えば光がレンズ部材４の周辺に設けられるフロントケース２の側壁に向けて出射され、フロントケース２によって遮光されて外部に光が照射されることを抑制している。したがって、表示装置２１は、第三，第四のＬＥＤ２２，２３を両方点灯あるいは点滅させる場合であっても、第三，第四のＬＥＤ２２，２３から発せられる光が対向関係にない緑色フィルター２５あるいは赤色フィルター２４を透過して利用者の視線に入ることがなく、表示が選択されていない色が部分的に表示されることを抑制し、良好に複数色の表示を示すことが可能となる。
【００４３】
なお、本第三の実施形態においては、表示装置２１は、レンズ部材４の平面部４ｃ上に赤色フィルター２４及び緑色フィルター２５が配設される構成であったが、カラーフィルターは光源とレンズ部材との間に設けられるものや、光源としての白色のＬＥＤに所定の色に着色されたキャップをカラーフィルターとして装着するものであってもよく、また、レンズ部材を複数色に着色し、レンズ部材とカラーフィルターとが１つの部材からなるものであってもよい。
【図面の簡単な説明】
【００４４】
【図１】本発明の第一の実施形態である表示装置の正面図。
【図２】同上表示装置のＡ−Ａ断面図。
【図３】同上表示装置のＢ−Ｂ断面図。
【図４】同上表示装置のレンズ部材を示す図。
【図５】同上表示装置の取付部材を示す図。
【図６】本発明の第二の実施形態である表示装置の断面図。
【図７】本発明の第三の実施形態である表示装置の断面図。
【図８】従来例の表示装置を示す断面図。
【符号の説明】
【００４５】
１，１１，２１  表示装置
２  フロントケース（遮光部材）
３  リアケース（ケース体）
４，１２  レンズ部材
５  第一のＬＥＤ（光源）
６  第二のＬＥＤ（光源）
７  取付部材
７ｂ  第二の取付部（平板部）
７ｂ３  第一のスリット部（第一の溝部）
７ｂ４  第二のスリット部（第二の溝部）
１３  拡散板
１３ａ，１３ｂ  開口部
２２  第三のＬＥＤ（光源）
２３  第四のＬＥＤ（光源）
２４  赤色フィルター（カラーフィルター）
２５  緑色フィルター（カラーフィルター）
【図１】
2005338025.tif 000003
【図２】
2005338025.tif 000004
【図３】
2005338025.tif 000005
【図４】
2005338025.tif 000006
【図５】
2005338025.tif 000007
【図６】
2005338025.tif 000008
【図７】
2005338025.tif 000009
【図８】
2005338025.tif 000010